(57)【要約】本発明は無線通信システムに関するもので、具体的にＦＤＤ  ＰＣｅｌｌとＴＤＤ  ＳＣｅｌｌを構成する段階；Ｌ１信号によって受信されたパターン指示情報によってＴＤＤ  ＳＣｅｌｌに第１ＵＬ−ＤＬ  ＳＦパターンを設定する段階；及び第１ＵＬ−ＤＬ  ＳＦパターンを基準にＴＤＤ  ＳＣｅｌｌの伝送方向がＵＬであるＳＦに関連したＨＡＲＱ−ＡＣＫ情報をＳＲ  ＰＵＣＣＨを介して送信する段階を含み、ＨＡＲＱ−ＡＣＫフィードバックに関連してＴＤＤ  ＳＣｅｌｌに設定された参照ＵＬ−ＤＬ  ＳＦパターンを基準にＳＦでＴＤＤ  ＳＣｅｌｌの伝送方向がＤＬである場合、ＨＡＲＱ−ＡＣＫ情報はＰＣｅｌｌ及びＳＣｅｌｌに対するＨＡＲＱ−ＡＣＫ応答を全て含み、参照ＵＬ−ＤＬ  ＳＦパターンを基準にＳＦでＴＤＤ  ＳＣｅｌｌの伝送方向がＵＬである場合、ＨＡＲＱ−ＡＣＫ情報はＰＣｅｌｌに対するＨＡＲＱ−ＡＣＫ応答のみを含む方法及びそのための装置に関するものである。【選択図】  図１４
2017531364.tif 000002
【特許請求の範囲】
【請求項１】
無線通信システムにおいて端末がＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）情報を送信する方法であって、
ＦＤＤ（Ｆｒｅｑｕｅｎｃｙ  Ｄｉｖｉｓｉｏｎ  Ｄｕｐｌｅｘ）ＰＣｅｌｌ（Ｐｒｉｍａｒｙ  Ｃｅｌｌ）とＴＤＤ（Ｔｉｍｅ  Ｄｉｖｉｓｉｏｎ  Ｄｕｐｌｅｘ）ＳＣｅｌｌ（Ｓｅｃｏｎｄａｒｙ  Ｃｅｌｌ）を構成する段階；
Ｌ１（Ｌａｙｅｒ１）信号によって受信されたパターン指示情報によって前記ＴＤＤ  ＳＣｅｌｌに第１ＵＬ−ＤＬ  ＳＦ（Ｕｐｌｉｎｋ−Ｄｏｗｎｌｉｎｋ  ｓｕｂｆｒａｍｅ）パターンを設定する段階；及び
前記第１ＵＬ−ＤＬ  ＳＦパターンを基準に前記ＴＤＤ  ＳＣｅｌｌの伝送方向がＵＬであるＳＦに関連したＨＡＲＱ−ＡＣＫ情報をＳＲ（Ｓｃｈｅｄｕｌｉｎｇ  Ｒｅｑｕｅｓｔ）ＰＵＣＣＨ（Ｐｈｙｓｉｃａｌ  Ｕｐｌｉｎｋ  Ｃｏｎｔｒｏｌ  Ｃｈａｎｎｅｌ）を介して送信する段階を含み、
ＨＡＲＱ−ＡＣＫフィードバックに関連して前記ＴＤＤ  ＳＣｅｌｌに設定された参照ＵＬ−ＤＬ  ＳＦパターンを基準に前記ＳＦで前記ＴＤＤ  ＳＣｅｌｌの伝送方向がＤＬである場合、前記ＨＡＲＱ−ＡＣＫ情報は前記ＰＣｅｌｌ及びＳＣｅｌｌに対するＨＡＲＱ−ＡＣＫ応答を全て含み、
前記参照ＵＬ−ＤＬ  ＳＦパターンを基準に前記ＳＦで前記ＴＤＤ  ＳＣｅｌｌの伝送方向がＵＬである場合、前記ＨＡＲＱ−ＡＣＫ情報は前記ＰＣｅｌｌに対するＨＡＲＱ−ＡＣＫ応答のみを含む、方法。
【請求項２】
前記ＨＡＲＱ−ＡＣＫ情報は前記ＰＣｅｌｌ及びＳＣｅｌｌに対するＨＡＲＱ−ＡＣＫ応答を全て含む場合、前記ＰＣｅｌｌ及びＳＣｅｌｌに対するＨＡＲＱ−ＡＣＫ応答セル別にバンドリングされたＨＡＲＱ−ＡＣＫ応答を含む、請求項１に記載の方法。
【請求項３】
前記ＨＡＲＱ−ＡＣＫ情報は前記ＰＣｅｌｌに対するＨＡＲＱ−ＡＣＫ応答のみを含む場合、前記ＨＡＲＱ−ＡＣＫ情報は前記ＰＣｅｌｌの一つ以上の伝送ブロックに対して伝送ブロック別に生成された個別ＨＡＲＱ−ＡＣＫ応答を含む、請求項１に記載の方法。
【請求項４】
前記ＴＤＤ  ＳＣｅｌｌに設定された参照ＵＬ−ＤＬ  ＳＦパターンを基準に前記ＳＦで前記ＴＤＤ  ＳＣｅｌｌの伝送方向がＤＬである場合、前記ＳＦは伝送方向がＵＬからＤＬに再設定できるＳＦを示す、請求項１に記載の方法。
【請求項５】
前記ＴＤＤ  ＳＣｅｌｌに設定された参照ＵＬ−ＤＬ  ＳＦパターンを基準に前記ＳＦで前記ＴＤＤ  ＳＣｅｌｌの伝送方向がＵＬである場合、前記ＳＦは伝送方向がＵＬからＤＬに再設定できないＳＦを示す、請求項１に記載の、請求項１に記載の方法。
【請求項６】
前記ＳＲ  ＰＵＣＣＨはＰＵＣＣＨフォーマット１ａ又はＰＵＣＣＨフォーマット１ｂを含む、請求項１に記載の方法。
【請求項７】
無線通信システムにおいてＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）情報を送信するように構成された端末であって、
ＲＦ（Ｒａｄｉｏ  Ｆｒｅｑｕｅｎｃｙ）モジュール；及び
プロセッサを含み、前記プロセッサは、
ＦＤＤ（Ｆｒｅｑｕｅｎｃｙ  Ｄｉｖｉｓｉｏｎ  Ｄｕｐｌｅｘ）ＰＣｅｌｌ（Ｐｒｉｍａｒｙ  Ｃｅｌｌ）とＴＤＤ（Ｔｉｍｅ  Ｄｉｖｉｓｉｏｎ  Ｄｕｐｌｅｘ）ＳＣｅｌｌ（Ｓｅｃｏｎｄａｒｙ  Ｃｅｌｌ）を構成し、
Ｌ１（Ｌａｙｅｒ１）信号によって受信されたパターン指示情報によって前記ＴＤＤ  ＳＣｅｌｌに第１ＵＬ−ＤＬ  ＳＦ（Ｕｐｌｉｎｋ−Ｄｏｗｎｌｉｎｋ  ｓｕｂｆｒａｍｅ）パターンを設定し、
前記第１ＵＬ−ＤＬ  ＳＦパターンを基準に前記ＴＤＤ  ＳＣｅｌｌの伝送方向がＵＬであるＳＦに関連したＨＡＲＱ−ＡＣＫ情報をＳＲ（Ｓｃｈｅｄｕｌｉｎｇ  Ｒｅｑｕｅｓｔ）ＰＵＣＣＨ（Ｐｈｙｓｉｃａｌ  Ｕｐｌｉｎｋ  Ｃｏｎｔｒｏｌ  Ｃｈａｎｎｅｌ）を介して送信するように構成され、
ＨＡＲＱ−ＡＣＫフィードバックに関連して前記ＴＤＤ  ＳＣｅｌｌに設定された参照ＵＬ−ＤＬ  ＳＦパターンを基準に前記ＳＦで前記ＴＤＤ  ＳＣｅｌｌの伝送方向がＤＬである場合、前記ＨＡＲＱ−ＡＣＫ情報は前記ＰＣｅｌｌ及びＳＣｅｌｌに対するＨＡＲＱ−ＡＣＫ応答を全て含み、
前記参照ＵＬ−ＤＬ  ＳＦパターンを基準に前記ＳＦで前記ＴＤＤ  ＳＣｅｌｌの伝送方向がＵＬである場合、前記ＨＡＲＱ−ＡＣＫ情報は前記ＰＣｅｌｌに対するＨＡＲＱ−ＡＣＫ応答のみを含む、端末。
【請求項８】
前記ＨＡＲＱ−ＡＣＫ情報は前記ＰＣｅｌｌ及びＳＣｅｌｌに対するＨＡＲＱ−ＡＣＫ応答を全て含む場合、前記ＰＣｅｌｌ及びＳＣｅｌｌに対するＨＡＲＱ−ＡＣＫ応答セル別にバンドリングされたＨＡＲＱ−ＡＣＫ応答を含む、請求項７に記載の端末。
【請求項９】
前記ＨＡＲＱ−ＡＣＫ情報は前記ＰＣｅｌｌに対するＨＡＲＱ−ＡＣＫ応答のみを含む場合、前記ＨＡＲＱ−ＡＣＫ情報は前記ＰＣｅｌｌの一つ以上の伝送ブロックに対して伝送ブロック別に生成された個別ＨＡＲＱ−ＡＣＫ応答を含む、請求項７に記載の端末。
【請求項１０】
前記ＴＤＤ  ＳＣｅｌｌに設定された参照ＵＬ−ＤＬ  ＳＦパターンを基準に前記ＳＦで前記ＴＤＤ  ＳＣｅｌｌの伝送方向がＤＬである場合、前記ＳＦは伝送方向がＵＬからＤＬに再設定できるＳＦを示す、請求項７に記載の端末。
【請求項１１】
前記ＴＤＤ  ＳＣｅｌｌに設定された参照ＵＬ−ＤＬ  ＳＦパターンを基準に前記ＳＦで前記ＴＤＤ  ＳＣｅｌｌの伝送方向がＵＬである場合、前記ＳＦは伝送方向がＵＬからＤＬに再設定できないＳＦを示す、請求項７に記載の端末。
【請求項１２】
前記ＳＲ  ＰＵＣＣＨはＰＵＣＣＨフォーマット１ａ又はＰＵＣＣＨフォーマット１ｂを含む、請求項７に記載の端末。
【発明の詳細な説明】
【技術分野】
【０００１】
本発明は無線通信システムに関するもので、より詳しくは無線信号送受信方法及び装置に関するものである。無線通信システムはＣＡ（Ｃａｒｒｉｅｒ  Ａｇｇｒｅｇａｔｉｏｎ）に基づく無線通信システムを含む。
【背景技術】
【０００２】
無線通信システムが音声やデータなどの種々の通信サービスを提供するために広範囲に展開されている。一般に、無線通信システムは可用のシステムリソース（帯域幅、伝送パワーなど）を共有して多重使用者との通信を支援することができる多重接続（ｍｕｌｔｉｐｌｅ  ａｃｃｅｓｓ）システムである。多重接続システムの例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線信号送受信過程を効率的に遂行する方法及びそのための装置を提供することにある。本発明の他の目的は、上りリンク制御情報を効率的に送信する方法及びそのための装置を提供することにある。
【０００４】
本発明で達成しようとする技術的課題は前記技術的課題に制限されず、言及しなかった他の技術的課題は下の記載から本発明が属する技術分野で通常の知識を有する者に明らかに理解可能であろう。
【課題を解決するための手段】
【０００５】
本発明の一態様において、無線通信システムにおいて端末がＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）情報を送信する方法であって、ＦＤＤ（Ｆｒｅｑｕｅｎｃｙ  Ｄｉｖｉｓｉｏｎ  Ｄｕｐｌｅｘ）ＰＣｅｌｌ（Ｐｒｉｍａｒｙ  Ｃｅｌｌ）とＴＤＤ（Ｔｉｍｅ  Ｄｉｖｉｓｉｏｎ  Ｄｕｐｌｅｘ）ＳＣｅｌｌ（Ｓｅｃｏｎｄａｒｙ  Ｃｅｌｌ）を構成する段階；Ｌ１（Ｌａｙｅｒ１）信号によって受信されたパターン指示情報によって前記ＴＤＤ  ＳＣｅｌｌに第１ＵＬ−ＤＬ  ＳＦ（Ｕｐｌｉｎｋ−Ｄｏｗｎｌｉｎｋ  ｓｕｂｆｒａｍｅ）パターンを設定する段階；及び前記第１ＵＬ−ＤＬ  ＳＦパターンを基準に前記ＴＤＤ  ＳＣｅｌｌの伝送方向がＵＬであるＳＦに関連したＨＡＲＱ−ＡＣＫ情報をＳＲ（Ｓｃｈｅｄｕｌｉｎｇ  Ｒｅｑｕｅｓｔ）ＰＵＣＣＨ（Ｐｈｙｓｉｃａｌ  Ｕｐｌｉｎｋ  Ｃｏｎｔｒｏｌ  Ｃｈａｎｎｅｌ）を介して送信する段階を含み、ＨＡＲＱ−ＡＣＫフィードバックに関連して前記ＴＤＤ  ＳＣｅｌｌに設定された参照ＵＬ−ＤＬ  ＳＦパターンを基準に前記ＳＦで前記ＴＤＤ  ＳＣｅｌｌの伝送方向がＤＬである場合、前記ＨＡＲＱ−ＡＣＫ情報は前記ＰＣｅｌｌ及びＳＣｅｌｌに対するＨＡＲＱ−ＡＣＫ応答を全て含み、前記参照ＵＬ−ＤＬ  ＳＦパターンを基準に前記ＳＦで前記ＴＤＤ  ＳＣｅｌｌの伝送方向がＵＬである場合、前記ＨＡＲＱ−ＡＣＫ情報は前記ＰＣｅｌｌに対するＨＡＲＱ−ＡＣＫ応答のみを含む方法が提供される。
【０００６】
本発明の他の態様において、無線通信システムにおいてＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）情報を送信するように構成された端末であって、ＲＦ（Ｒａｄｉｏ  Ｆｒｅｑｕｅｎｃｙ）モジュール；及びプロセッサを含み、前記プロセッサは、ＦＤＤ（Ｆｒｅｑｕｅｎｃｙ  Ｄｉｖｉｓｉｏｎ  Ｄｕｐｌｅｘ）ＰＣｅｌｌ（Ｐｒｉｍａｒｙ  Ｃｅｌｌ）とＴＤＤ（Ｔｉｍｅ  Ｄｉｖｉｓｉｏｎ  Ｄｕｐｌｅｘ）ＳＣｅｌｌ（Ｓｅｃｏｎｄａｒｙ  Ｃｅｌｌ）を構成し、Ｌ１（Ｌａｙｅｒ１）信号によって受信されたパターン指示情報によって前記ＴＤＤ  ＳＣｅｌｌに第１ＵＬ−ＤＬ  ＳＦ（Ｕｐｌｉｎｋ−Ｄｏｗｎｌｉｎｋ  ｓｕｂｆｒａｍｅ）パターンを設定し、前記第１ＵＬ−ＤＬ  ＳＦパターンを基準に前記ＴＤＤ  ＳＣｅｌｌの伝送方向がＵＬであるＳＦに関連したＨＡＲＱ−ＡＣＫ情報をＳＲ（Ｓｃｈｅｄｕｌｉｎｇ  Ｒｅｑｕｅｓｔ）ＰＵＣＣＨ（Ｐｈｙｓｉｃａｌ  Ｕｐｌｉｎｋ  Ｃｏｎｔｒｏｌ  Ｃｈａｎｎｅｌ）を介して送信するように構成され、ＨＡＲＱ−ＡＣＫフィードバックに関連して前記ＴＤＤ  ＳＣｅｌｌに設定された参照ＵＬ−ＤＬ  ＳＦパターンを基準に前記ＳＦで前記ＴＤＤ  ＳＣｅｌｌの伝送方向がＤＬである場合、前記ＨＡＲＱ−ＡＣＫ情報は前記ＰＣｅｌｌ及びＳＣｅｌｌに対するＨＡＲＱ−ＡＣＫ応答を全て含み、前記参照ＵＬ−ＤＬ  ＳＦパターンを基準に前記ＳＦで前記ＴＤＤ  ＳＣｅｌｌの伝送方向がＵＬである場合、前記ＨＡＲＱ−ＡＣＫ情報は前記ＰＣｅｌｌに対するＨＡＲＱ−ＡＣＫ応答のみを含む端末が提供される。
【０００７】
好ましくは、前記ＨＡＲＱ−ＡＣＫ情報は前記ＰＣｅｌｌ及びＳＣｅｌｌに対するＨＡＲＱ−ＡＣＫ応答を全て含む場合、前記ＰＣｅｌｌ及びＳＣｅｌｌに対するＨＡＲＱ−ＡＣＫ応答セル別にバンドリングされたＨＡＲＱ−ＡＣＫ応答を含むことができる。
【０００８】
好ましくは、前記ＨＡＲＱ−ＡＣＫ情報は前記ＰＣｅｌｌに対するＨＡＲＱ−ＡＣＫ応答のみを含む場合、前記ＨＡＲＱ−ＡＣＫ情報は前記ＰＣｅｌｌの一つ以上の伝送ブロックに対して伝送ブロック別に生成された個別ＨＡＲＱ−ＡＣＫ応答を含むことができる。
【０００９】
好ましくは、前記ＴＤＤ  ＳＣｅｌｌに設定された参照ＵＬ−ＤＬ  ＳＦパターンを基準に前記ＳＦで前記ＴＤＤ  ＳＣｅｌｌの伝送方向がＤＬである場合、前記ＳＦは伝送方向がＵＬからＤＬに再設定できるＳＦを示すことができる。
【００１０】
好ましくは、前記ＴＤＤ  ＳＣｅｌｌに設定された参照ＵＬ−ＤＬ  ＳＦパターンを基準に前記ＳＦで前記ＴＤＤ  ＳＣｅｌｌの伝送方向がＵＬである場合、前記ＳＦは伝送方向がＵＬからＤＬに再設定できないＳＦを示すことができる。
【００１１】
好ましくは、前記ＳＲ  ＰＵＣＣＨはＰＵＣＣＨフォーマット１ａ又はＰＵＣＣＨフォーマット１ｂを含むことができる。
【発明の効果】
【００１２】
本発明によると、無線通信システムにおける無線信号送受信を効率的に遂行することができる。具体的に、上りリンク制御情報を効率的に送信することができる。
【００１３】
本発明で得られる効果は以上で言及した効果に制限されず、言及しなかった他の効果は下の記載から本発明が属する技術分野で通常の知識を有する者に明らかに理解可能であろう。
【図面の簡単な説明】
【００１４】
本発明の理解を助けるために詳細な説明の一部として含まれる添付図面は本発明の実施例を提供し、詳細な説明と一緒に本発明の技術的思想を説明する。
【図１】無線通信システムの一例である３ＧＰＰ  ＬＴＥ（−Ａ）システムに用いられる物理チャネル及びこれらを用いた一般的な信号伝送方法を例示する。
【図２】無線フレーム（ｒａｄｉｏ  ｆｒａｍｅ）の構造を例示する。
【図３】下りリンクスロットのリソースグリッド（ｒｅｓｏｕｒｃｅ  ｇｒｉｄ）を例示する。
【図４】下りリンクサブフレームの構造を示す。
【図５】ＥＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を例示する。
【図６】上りリンクサブフレームの構造を例示する。
【図７】ＰＵＣＣＨ（Ｐｈｙｓｉｃａｌ  Ｕｐｌｉｎｋ  Ｃｏｎｔｒｏｌ  Ｃｈａｎｎｅｌ）フォーマット１ａ／１ｂのスロットレベル構造を例示する。
【図８】キャリア併合（Ｃａｒｒｉｅｒ  Ａｇｇｒｅｇａｔｉｏｎ、ＣＡ）通信システムを例示する。
【図９】クロス−キャリアスケジューリング（ｃｒｏｓｓ−ｃａｒｒｉｅｒ  ｓｃｈｅｄｕｌｉｎｇ）を例示する。
【図１０】ＦＤＤ  ＰＣｅｌｌ−ＴＤＤ  ＳＣｅｌｌ  ＣＡを例示する。
【図１１】ＦＤＤ  ＰＣｅｌｌ−ＴＤＤ  ＳＣｅｌｌ  ＣＡにおけるＨＡＲＱ−ＡＣＫ伝送過程を例示する。
【図１２】ＦＤＤ  ＰＣｅｌｌ−ＴＤＤ  ＳＣｅｌｌ  ＣＡにおけるＨＡＲＱ−ＡＣＫ伝送過程を例示する。
【図１３】ｅＩＭＴＡ  ＴＤＤセルにおけるＵ→Ｄ再設定を例示する。
【図１４】本発明の一実施例によるＨＡＲＱ−ＡＣＫ伝送過程を例示する
【図１５】本発明に適用可能な基地局及び端末を例示する。
【発明を実施するための形態】
【００１５】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの多様な無線接続システムに使用可能である。ＣＤＭＡはＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｒａｄｉｏ  ｔｅｃｈｎｏｌｏｇｙ）によって具現可能である。ＴＤＭＡはＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現可能である。ＯＦＤＭＡはＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などの無線技術によって具現可能である。ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）はＥ−ＵＴＲＡを使うＥ−ＵＭＴＳ（Ｅｖｏｌｖｅｄ  ＵＭＴＳ）の一部であり、ＬＴＥ−Ａ（Ａｄｖａｎｃｅｄ）は３ＧＰＰ  ＬＴＥの進化したバージョンである。説明を明確にするために、３ＧＰＰ  ＬＴＥ／ＬＴＥ−Ａを中心に記述するが、本発明の技術的思想がこれに制限されるものではない。
【００１６】
無線通信システムにおいて、端末は基地局から下りリンク（Ｄｏｗｎｌｉｎｋ、ＤＬ）を介して情報を受信し、端末は基地局に上りリンク（Ｕｐｌｉｎｋ、ＵＬ）を介して情報を送信する。基地局と端末が送受信する情報はデータ及び多様な制御情報を含み、これらが送受信する情報の種類／用途によって多様な物理チャネルが存在する。
【００１７】
図１は３ＧＰＰ  ＬＴＥ（−Ａ）システムに用いられる物理チャネル及びこれらを用いた一般的な信号伝送方法を説明するための図である。
【００１８】
電源が切れた状態でまた電源が入るか新たにセルに進入した端末は段階Ｓ１０１で基地局と同期を合わせるなどの初期セル探索（Ｉｎｉｔｉａｌ  ｃｅｌｌ  ｓｅａｒｃｈ）作業を遂行する。このために、端末は基地局から主同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を合わせ、セルＩＤ（ｃｅｌｌ  ｉｄｅｎｔｉｔｙ）などの情報を獲得する。その後、端末は、基地局から物理放送チャネル（Ｐｈｙｓｉｃａｌ  Ｂｒｏａｄｃａｓｔ  Ｃｈａｎｎｅｌ、ＰＢＣＨ）を受信してセル内放送情報を獲得することができる。一方、端末は初期セル探索段階で下りリンク参照信号（Ｄｏｗｎｌｉｎｋ  Ｒｅｆｅｒｅｎｃｅ  Ｓｉｇｎａｌ、ＤＬＲＳ）を受信して下りリンクチャネル状態を確認することができる。
【００１９】
初期セル探索を終えた端末は段階Ｓ１０２で物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）及び物理下りリンク制御チャネル情報による物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信してより具体的なシステム情報を獲得することができる。
【００２０】
その後、端末は、基地局への接続を完了するために、段階Ｓ１０３〜段階Ｓ１０６のような任意接続過程（Ｒａｎｄｏｍ  Ａｃｃｅｓｓ  Ｐｒｏｃｅｄｕｒｅ）を遂行することができる。このために、端末は、物理任意接続チャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ１０３）、物理下りリンク制御チャネル及びこれに対応する物理下りリンク共有チャネルを介してプリアンブルに対する応答メッセージを受信することができる（Ｓ１０４）。競争に基づく任意接続（Ｃｏｎｔｅｎｔｉｏｎ  ｂａｓｅｄ  ｒａｎｄｏｍ  ａｃｃｅｓｓ）の場合、更なる物理任意接続チャネルの伝送（Ｓ１０５）及び物理下りリンク制御チャネル及びこれに対応する物理下りリンク共有チャネル受信（Ｓ１０６）のような衝突解決過程（Ｃｏｎｔｅｎｔｉｏｎ  Ｒｅｓｏｌｕｔｉｏｎ  Ｐｒｏｃｅｄｕｒｅ）を遂行することができる。
【００２１】
上述したような過程を遂行した端末は、その後、一般的な上り／下りリンク信号伝送過程として物理下りリンク制御チャネル／物理下りリンク共有チャネル受信（Ｓ１０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）伝送（Ｓ１０８）を遂行することができる。端末が基地局に送信する制御情報を通称して上りリンク制御情報（Ｕｐｌｉｎｋ  Ｃｏｎｔｒｏｌ  Ｉｎｆｏｒｍａｔｉｏｎ、ＵＣＩ）という。ＵＣＩはＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。ＣＳＩはＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは一般的にＰＵＣＣＨを介して送信されるが、制御情報とトラフィックデータが同時に送信されなければならない場合はＰＵＳＣＨを介して送信されることができる。また、ネットワークの要請／指示によってＰＵＳＣＨを介してＵＣＩを非周期的に送信することができる。
【００２２】
図２は無線フレーム（ｒａｄｉｏ  ｆｒａｍｅ）の構造を例示する。上り／下りリンクデータパケット伝送はサブフレーム単位でなされ、サブフレームは多数のシンボルを含む時間区間に定義される。３ＧＰＰ  ＬＴＥ標準ではＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２無線フレーム構造を支援する。
【００２３】
図２（ａ）はタイプ１無線フレームの構造を例示する。下りリンク無線フレームは１０個のサブフレームで構成され、一つのサブフレームは時間ドメイン（ｔｉｍｅ  ｄｏｍａｉｎ）で２個のスロット（ｓｌｏｔ）で構成される。一つのサブフレームが送信されるのにかかる時間をＴＴＩ（ｔｒａｎｓｍｉｓｓｉｏｎ  ｔｉｍｅ  ｉｎｔｅｒｖａｌ）と言う。例えば、一つのサブフレームの長さは１ｍｓ、一つのスロットの長さは０．５ｍｓであってもよい。一つのスロットは時間領域で複数のＯＦＤＭシンボルを含み、周波数領域で多数のリソースブロック（Ｒｅｓｏｕｒｃｅ  Ｂｌｏｃｋ、ＲＢ）を含む。３ＧＰＰ  ＬＴＥシステムにおいては、下りリンクでＯＦＤＭを使うので、ＯＦＤＭシンボルが一つのシンボル区間を示す。ＯＦＤＭシンボルはまたＳＣ−ＦＤＭＡシンボル又はシンボル区間と呼むことができる。リソース割当て単位としてのリソースブロック（ＲＢ）は一つのスロットで複数の連続的な副搬送波（ｓｕｂｃａｒｒｉｅｒ）を含むことができる。
【００２４】
スロットに含まれるＯＦＤＭシンボルの数はＣＰ（Ｃｙｃｌｉｃ  Ｐｒｅｆｉｘ）の構成（ｃｏｎｆｉｇｕｒａｔｉｏｎ）によって変わることができる。ＣＰには拡張ＣＰ（ｅｘｔｅｎｄｅｄ  ＣＰ）とノーマルＣＰ（ｎｏｒｍａｌ  ＣＰ）がある。例えば、ＯＦＤＭシンボルがノーマルＣＰによって構成された場合、一つのスロットに含まれるＯＦＤＭシンボルの数は７個であってもよい。ＯＦＤＭシンボルが拡張したＣＰによって構成された場合、一つのＯＦＤＭシンボルの長さが増えるので、一つのスロットに含まれるＯＦＤＭシンボルの数はノーマルＣＰの場合より少ない。例えば、拡張ＣＰの場合、一つのスロットに含まれるＯＦＤＭシンボルの数は６個であってもよい。端末が高速で移動するなどの場合のようにチャネル状態が不安定な場合、シンボル間の干渉を一層減らすために拡張ＣＰを使うことができる。
【００２５】
ノーマルＣＰが使われる場合、スロットは７個のＯＦＤＭシンボルを含むので、サブフレームは１４個のＯＦＤＭシンボルを含む。サブフレームにおいて初めの最大３個のＯＦＤＭシンボルはＰＤＣＣＨ（Ｐｈｙｓｉｃａｌ  Ｄｏｗｎｌｉｎｋ  Ｃｏｎｔｒｏｌ  Ｃｈａｎｎｅｌ）に割り当てられ、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てられることができる。
【００２６】
図２（ｂ）はタイプ２無線フレームの構造を例示する。タイプ２無線フレームは２個のハーフフレーム（ｈａｌｆ  ｆｒａｍｅ）で構成される。ハーフフレームは４（５）個の一般サブフレームと１（０）個のスペシャルサブフレームを含む。一般サブフレームはＵＬ−ＤＬ構成（Ｕｐｌｉｎｋ−Ｄｏｗｎｌｉｎｋ  Ｃｏｎｆｉｇｕｒａｔｉｏｎ）によって上りリンク又は下りリンクに使われる。サブフレームは２個のスロットで構成される。
【００２７】
表１はＵＬ−ＤＬ構成による無線フレーム内のサブフレーム構成を例示する。
【００２８】
【表１】
2017531364.tif 000003
【００２９】
表で、Ｄは下りリンクサブフレームを、Ｕは上りリンクサブフレームを、Ｓはスペシャル（ｓｐｅｃｉａｌ）サブフレームを示す。スペシャルサブフレームはＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）を含む。ＤｗＰＴＳは端末での初期セル探索、同期化又はチャネル推定に使われる。ＵｐＰＴＳは基地局でのチャネル推定と端末の上りリンク伝送同期を合わせるのに使われる。保護区間は上りリンクと下りリンクの間に下りリンク信号の多重経路遅延によって上りリンクで発生する干渉を除去するための区間である。
【００３０】
無線フレームの構造は例示に過ぎなく、無線フレームにおいてサブフレームの数、スロットの数、シンボルの数は多様に変更可能である。
【００３１】
図３は下りリンクスロットのリソースグリッドを例示する。
【００３２】
図３を参照すると、下りリンクスロットは時間ドメインで複数のＯＦＤＭシンボルを含む。ここで、一つの下りリンクスロットは７個のＯＦＤＭシンボルを含み、一つのリソースブロック（ＲＢ）は周波数ドメインで１２個の副搬送波を含むものとして例示された。しかし、本発明がこれに制限されるのではない。リソースグリッド上でそれぞれの要素はリソース要素（Ｒｅｓｏｕｒｃｅ  Ｅｌｅｍｅｎｔ、ＲＥ）と呼ばれる。一つのＲＢは１２×７ＲＥを含む。下りリンクスロットに含まれたＲＢの個数ＮＤＬは下りリンク伝送帯域に依存する。上りリンクスロットの構造は下りリンクスロットの構造と同一であっても良い。
【００３３】
図４は下りリンクサブフレームの構造を例示する。
【００３４】
図４を参照すると、サブフレーム内で一番目スロットの前に位置する最大３（４）個のＯＦＤＭシンボルが制御チャネルの割り当てられる制御領域に相当する。残りのＯＦＤＭシンボルはＰＤＳＣＨ（ｐｈｙｓｉｃａｌ  ｄｏｗｎｌｉｎｋ  ｓｈａｒｅｄ  ｃｈａｎｃｅｌ）が割り当てられるデータ領域に相当し、データ領域の基本リソース単位はＲＢである。ＬＴＥで使われる下りリンク制御チャネルの例はＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）などを含む。ＰＣＦＩＣＨはサブフレームの一番目ＯＦＤＭシンボルで送信され、サブフレーム内で制御チャネルの伝送に使われるＯＦＤＭシンボルの個数についての情報を運ぶ。ＰＨＩＣＨは上りリンク伝送に対する応答であり、ＨＡＲＱ  ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。ＰＤＣＣＨを介して送信される制御情報はＤＣＩ（ｄｏｗｎｌｉｎｋ  ｃｏｎｔｒｏｌ  ｉｎｆｏｒｍａｔｉｏｎ）と呼ばれる。ＤＣＩは上りリンク又は下りリンクスケジューリング情報又は任意の端末グループのための上りリンク伝送電力制御命令（Ｔｒａｎｓｍｉｔ  Ｐｏｗｅｒ  Ｃｏｎｔｒｏｌ  Ｃｏｍｍａｎｄ）を含む。
【００３５】
ＰＤＣＣＨを介して送信される制御情報をＤＣＩ（Ｄｏｗｎｌｉｎｋ  ｃｏｎｔｒｏｌ  ｉｎｆｏｒｍａｔｉｏｎ）と言う。ＤＣＩフォーマット（ｆｏｒｍａｔ）は上りリンク用にフォーマット０、３、３Ａ、４、下りリンク用にフォーマット１、１Ａ、１Ｂ、１Ｃ、１Ｄ、２、２Ａ、２Ｂ、２Ｃなどのフォーマットが定義されている。ＤＣＩフォーマットによって情報フィールドの種類、情報フィールドの個数、各情報フィールドのビット数などが変わる。例えば、ＤＣＩフォーマットは用途によってホッピングフラグ（ｈｏｐｐｉｎｇ  ｆｌａｇ）、ＲＢ割当て（ａｓｓｉｇｎｍｅｎｔ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、ＨＡＲＱプロセス番号、ＰＭＩ（ｐｒｅｃｏｄｉｎｇ  ｍａｔｒｉｘ  ｉｎｄｉｃａｔｏｒ）確認（ｃｏｎｆｉｒｍａｔｉｏｎ）などの情報を選択的に含む。よって、ＤＣＩフォーマットによってＤＣＩフォーマットに整合する制御情報のサイズ（ｓｉｚｅ）が変わる。一方、任意のＤＣＩフォーマットは二種以上の制御情報の伝送に使われることができる。例えば、ＤＣＩフォーマット０／１ＡはＤＣＩフォーマット０又はＤＣＩフォーマット１を運ぶのに使われ、これらはフラグフィールド（ｆｌａｇ  ｆｉｅｌｄ）によって区分される。
【００３６】
ＰＤＣＣＨはＤＬ−ＳＣＨ（ｄｏｗｎｌｉｎｋ  ｓｈａｒｅｄ  ｃｈａｎｎｅｌ）の伝送フォーマット及びリソース割当て、ＵＬ−ＳＣＨ（ｕｐｌｉｎｋ  ｓｈａｒｅｄ  ｃｈａｎｎｅｌ）に対するリソース割当て情報、ＰＣＨ（ｐａｇｉｎｇ  ｃｈａｎｎｅｌ）に対するページング情報、ＤＬ−ＳＣＨ上のシステム情報（ｓｙｓｔｅｍ  ｉｎｆｏｒｍａｔｉｏｎ）、ＰＤＳＣＨ上で送信されるランダム接続応答のような上位−階層制御メッセージのリソース割当て情報、任意の端末グループ内で個別端末に対する伝送電力制御命令、ＶｏＩＰ（ｖｏｉｃｅ  ｏｖｅｒ  ＩＰ）の活性化（ａｃｔｉｖａｔｉｏｎ）などを運ぶ。制御領域内で複数のＰＤＣＣＨが送信されることができる。端末は複数のＰＤＣＣＨをモニタリングすることができる。ＰＤＣＣＨは一つ又は複数の連続したＣＣＥ（ｃｏｎｓｅｃｕｔｉｖｅ  ｃｏｎｔｒｏｌ  ｃｈａｎｎｅｌ  ｅｌｅｍｅｎｔ）の集合（ａｇｇｒｅｇａｔｉｏｎ）上で送信される。ＣＣＥは無線チャネルの状態によって所定の符号化率（ｃｏｄｉｎｇ  ｒａｔｅ）のＰＤＣＣＨを提供するために使われる論理的割当て単位である。ＣＣＥは複数のＲＥＧ（Ｒｅｓｏｕｒｃｅ  Ｅｌｅｍｅｎｔ  ｇｒｏｕｐ）に対応する。ＰＤＣＣＨのフォーマット及び可用のＰＤＣＣＨのビット数はＣＣＥの個数とＣＣＥによって提供される符号化率の間の相関関係によって決定される。基地局は端末に送信されるＤＣＩによってＰＤＣＣＨフォーマットを決定し、ＣＲＣ（ｃｙｃｌｉｃ  ｒｅｄｕｎｄａｎｃｙ  ｃｈｅｃｋ）を制御情報に付け加える。ＣＲＣはＰＤＣＣＨの所有者又は使用用途によって唯一識別子（ＲＮＴＩ（ｒａｄｉｏ  ｎｅｔｗｏｒｋ  ｔｅｍｐｏｒａｒｙ  ｉｄｅｎｔｉｆｉｅｒ）と呼ばれる）によってマスキングされる。ＰＤＣＣＨが特定の端末のためのものであれば、該当端末の唯一識別子（例えば、Ｃ−ＲＮＴＩ（ｃｅｌｌ−ＲＮＴＩ））がＣＲＣにマスキングされる。他の例として、ＰＤＣＣＨがページングメッセージのためのものであれば、ページング指示識別子（例えば、Ｐ−ＲＮＴＩ（ｐａｇｉｎｇ−ＲＮＴＩ））がＣＲＣにマスキングされる。ＰＤＣＣＨがシステム情報（より具体的に、後述するＳＩＢ（ｓｙｓｔｅｍ  ｉｎｆｏｒｍａｔｉｏｎ  ｂｌｏｃｋ））に関するものであれば、システム情報識別子（例えば、ＳＩ−ＲＮＴＩ（ｓｙｓｔｅｍ  ｉｎｆｏｒｍａｔｉｏｎ  ＲＮＴＩ））がＣＲＣにマスキングされる。端末のランダム接続プリアンブルの伝送に対する応答である、ランダム接続応答を指示するために、ＲＡ−ＲＮＴＩ（ｒａｎｄｏｍ  ａｃｃｅｓｓ−ＲＮＴＩ）がＣＲＣにマスキングされる。
【００３７】
ＰＤＣＣＨはＤＣＩ（Ｄｏｗｎｌｉｎｋ  ｃｏｎｔｒｏｌ  ｉｎｆｏｒｍａｔｉｏｎ）と知られたメッセージを運び、ＤＣＩは一つの端末又は端末グループのためのリソース割当て及び他の制御情報を含む。一般に、複数のＰＤＣＣＨが一つのサブフレーム内で送信されることができる。それぞれのＰＤＣＣＨは一つ以上のＣＣＥ（Ｃｏｎｔｒｏｌ  Ｃｈａｎｎｅｌ  Ｅｌｅｍｅｎｔ）を用いて送信され、それぞれのＣＣＥは９セットの４個のリソース要素に対応する。４個のリソース要素はＲＥＧ（Ｒｅｓｏｕｒｃｅ  Ｅｌｅｍｅｎｔ  Ｇｒｏｕｐ）と呼ばれる。４個のＱＰＳＫシンボルが一ＲＥＧにマッピングされる。参照信号に割り当てられたリソース要素はＲＥＧに含まれなく、これによって与えられたＯＦＤＭシンボル内でＲＥＧの総個数はセル−特定（ｃｅｌｌ−ｓｐｅｃｉｆｉｃ）参照信号の存在有無によって変わる。ＲＥＧ概念（すなわち、グループ単位マッピング、各グループは４個のリソース要素を含む）は他の下りリンク制御チャネル（ＰＣＦＩＣＨ及びＰＨＩＣＨ）にも使われる。すなわち、ＲＥＧは制御領域の基本リソース単位として使われる。４個のＰＤＣＣＨフォーマットが表２に羅列した通りに支援される。
【００３８】
【表２】
2017531364.tif 000004
【００３９】
ＣＣＥは連続的に番号が付けられて使われ、デコーディングプロセスを単純化するために、ｎのＣＣＥｓで構成されたフォーマットを有するＰＤＣＣＨはｎの倍数と同一の数を有するＣＣＥでのみ始まることができる。特定のＰＤＣＣＨ伝送のために使われるＣＣＥの個数はチャネル条件によって基地局によって決定される。例えば、ＰＤＣＣＨが良い下りリンクチャネル（例えば、基地局に近い）を有する端末のためのものである場合、一つのＣＣＥでも十分であることもある。しかし、悪いチャネル（例えば、セル境界に近い）を有する端末の場合、十分なロバスト性（ｒｏｂｕｓｔｎｅｓｓ）を得るために、８個のＣＣＥを使うことができる。また、ＰＤＣＣＨのパワーレベルがチャネル条件に合わせて調節されることができる。
【００４０】
ＬＴＥに導入された方案はそれぞれの端末のためにＰＤＣＣＨが位置することができる制限されたセットのＣＣＥ位置を定義することである。端末が自分のＰＤＣＣＨを探すことができる制限されたセットのＣＣＥ位置は検索空間（Ｓｅａｒｃｈ  Ｓｐａｃｅ、ＳＳ）と呼ばれることができる。ＬＴＥにおいて、検索空間はそれぞれのＰＤＣＣＨフォーマットによって違うサイズを有する。また、ＵＥ−特定（ＵＥ−ｓｐｅｃｉｆｉｃ）及び共通（ｃｏｍｍｏｎ）検索空間が別に定義される。ＵＥ−特定検索空間（ＵＥ−Ｓｐｅｃｉｆｉｃ  Ｓｅａｒｃｈ  Ｓｐａｃｅ、ＵＳＳ）は各端末のために個別的に設定され、共通検索空間（Ｃｏｍｍｏｎ  Ｓｅａｒｃｈ  Ｓｐａｃｅ、ＣＳＳ）の範囲は全ての端末に知られる。ＵＥ−特定及び共通検索空間は与えられた端末に対してオーバーラップされることができる。非常に小さな検索空間を有する場合、特定の端末のための検索空間で一部のＣＣＥ位置が割り当てられた場合、残るＣＣＥがないから、与えられたサブフレーム内で基地局はできるだけ全ての端末にＰＤＣＣＨを送信するＣＣＥリソースを探すことができないことがあり得る。上のようなブロッキングが次のサブフレームにつながる可能性を最小化するために、ＵＥ−特定検索空間の手始め位置に端末−特定ホッピングシーケンスが適用される。
【００４１】
表３は共通及びＵＥ−特定検索空間のサイズを示す。
【００４２】
【表３】
2017531364.tif 000005
【００４３】
ブラインドデコーディング（Ｂｌｉｎｄ  Ｄｅｃｏｄｉｎｇ、ＢＤ）の総回数による計算負荷を統制の下に置くために、端末は定義された全てのＤＣＩフォーマットを同時に検索するように要求されない。一般に、ＵＥ−特定検索空間内で端末は常にフォーマット０と１Ａを検索する。フォーマット０と１Ａは同じサイズを有し、メッセージ内のフラグによって区分される。また、端末は追加のフォーマットを受信するように要求されることができる（例えば、基地局によって設定されたＰＤＳＣＨ伝送によって１、１Ｂ又は２）。共通検索空間で端末はフォーマット１Ａ及び１Ｃを検索する。また、端末はフォーマット３又は３Ａを検索するように設定されることができる。フォーマット３及び３Ａはフォーマット０及び１Ａと同一のサイズを有し、端末−特定識別子よりは、相異なる（共通）識別子でＣＲＣをスクランブルすることによって区分されることができる。伝送によるＰＤＳＣＨ伝送技法と、ＤＣＩフォーマットの情報コンテンツを以下に羅列する。
【００４４】
（伝送モード（Ｔｒａｎｓｍｉｓｓｉｏｎ  Ｍｏｄｅ、ＴＭ））
・伝送モード１：単一基地局アンテナポートからの伝送
・伝送モード２：伝送ダイバーシティ
・伝送モード３：開−ループ空間多重化
・伝送モード４：閉−ループ空間多重化
・伝送モード５：多重−使用者ＭＩＭＯ
・伝送モード６：閉−ループランク−１プリコーディング
・伝送モード７：単一−アンテナポート（ポート５）伝送
・伝送モード８：二重レイヤー伝送（ポート７及び８）又は単一−アンテナポート（ポート７又は８）伝送
・伝送モード９：最大８個のレイヤー伝送（ポート７〜１４）又は単一−アンテナポート（ポート７又は８）伝送
（ＤＣＩフォーマット）
・フォーマット０：ＰＵＳＣＨ伝送（上りリンク）のためのリソースグラント
・フォーマット１：単一コードワードＰＤＳＣＨ伝送（伝送モード１、２及び７）のためのリソース割当て
・フォーマット１Ａ：単一コードワードＰＤＳＣＨ（全てのモード）のためのリソース割当てのコンパクトシグナリング
・フォーマット１Ｂ：ランク−１閉−ループプリコーディングを用いるＰＤＳＣＨ（モード６）のためのコンパクトリソース割当て
・フォーマット１Ｃ：ＰＤＳＣＨ（例えば、ページング／ブロードキャストシステム情報）のための非常にコンパクトなリソース割当て
・フォーマット１Ｄ：多重−使用者ＭＩＭＯを用いるＰＤＳＣＨ（モード５）のためのコンパクトリソース割当て
・フォーマット２：閉−ループＭＩＭＯ動作のＰＤＳＣＨ（モード４）のためのリソース割当て
・フォーマット２Ａ：開−ループＭＩＭＯ動作のＰＤＳＣＨ（モード３）のためのリソース割当て
・フォーマット３／３Ａ：ＰＵＣＣＨ及びＰＵＳＣＨのために２−ビット／１−ビットパワー調整値を有するパワーコントロールコマンド
図５はＥＰＤＣＣＨを例示する。ＥＰＤＣＣＨはＬＴＥ−Ａに追加的に導入したチャネルである。
【００４５】
図５を参照すると、サブフレームの制御領域（図４参照）には既存ＬＴＥによるＰＤＣＣＨ（便宜上、Ｌｅｇａｃｙ  ＰＤＣＣＨ、Ｌ−ＰＤＣＣＨ）が割り当てられることができる。図面で、Ｌ−ＰＤＣＣＨ領域はＬ−ＰＤＣＣＨが割り当てられることができる領域を意味する。一方、データ領域（例えば、ＰＤＳＣＨのためのリソース領域）内にＰＤＣＣＨがさらに割り当てられることができる。データ領域に割り当てられたＰＤＣＣＨをＥＰＤＣＣＨと呼ぶ。図示のように、ＥＰＤＣＣＨを介して制御チャネルリソースをさらに確保することにより、Ｌ−ＰＤＣＣＨ領域の制限された制御チャネルリソースによるスケジューリング制約を緩和することができる。Ｌ−ＰＤＣＣＨと同様に、ＥＰＤＣＣＨはＤＣＩを運ぶ。例えば、ＥＰＤＣＣＨは下りリンクスケジューリング情報、上りリンクスケジューリング情報を運ぶことができる。例えば、端末はＥＰＤＣＣＨを受信し、ＥＰＤＣＣＨに対応するＰＤＳＣＨを介してデータ／制御情報を受信することができる。また、端末はＥＰＤＣＣＨを受信し、ＥＰＤＣＣＨに対応するＰＵＳＣＨを介してデータ／制御情報を送信することができる。セルタイプによってＥＰＤＣＣＨ／ＰＤＳＣＨはサブフレームの一番目ＯＦＤＭシンボルから割り当てられることができる。特に区別しない限り、本明細書でＰＤＣＣＨはＬ−ＰＤＣＣＨとＥＰＤＣＣＨを共に含む。
【００４６】
図６はＬＴＥ（−Ａ）で使われる上りリンクサブフレームの構造を例示する。
【００４７】
図６を参照すると、サブフレーム５００は二つの０．５ｍｓスロット５０１で構成される。普通（Ｎｏｒｍａｌ）循環前置（Ｃｙｃｌｉｃ  Ｐｒｅｆｉｘ、ＣＰ）の長さを仮定するとき、各スロットは７個のシンボル５０２で構成され、一つのシンボルは一つのＳＣ−ＦＤＭＡシンボルに対応する。リソースブロック（Ｒｅｓｏｕｒｃｅ  Ｂｌｏｃｋ、ＲＢ）５０３は周波数領域で１２個の副搬送波、かつ時間領域で一スロットに相当するリソース割当て単位である。ＬＴＥ（−Ａ）の上りリンクサブフレームの構造は大別してデータ領域５０４と制御領域５０５に区分される。データ領域は各端末に送信される音声、パケットなどのデータを送信するのに使われる通信リソースを意味し、ＰＵＳＣＨ（Ｐｈｙｓｉｃａｌ  Ｕｐｌｉｎｋ  Ｓｈａｒｅｄ  Ｃｈａｎｎｅｌ）を含む。制御領域は上りリンク制御信号、例えば各端末からの下りリンクチャネル品質報告、下りリンク信号に対する受信ＡＣＫ／ＮＡＣＫ、上りリンクスケジューリング要請などを送信するのに使われる通信リソースを意味し、ＰＵＣＣＨ（Ｐｈｙｓｉｃａｌ  Ｕｐｌｉｎｋ  Ｃｏｎｔｒｏｌ  Ｃｈａｎｎｅｌ）を含む。サウンディング参照信号（Ｓｏｕｎｄｉｎｇ  Ｒｅｆｅｒｅｎｃｅ  Ｓｉｇｎａｌ、ＳＲＳ）は一つのサブフレームにおいて時間軸上で最後に位置するＳＣ−ＦＤＭＡシンボルを介して送信される。同じサブフレームの最後のＳＣ−ＦＤＭＡに送信される多くの端末のＳＲＳは周波数位置／シーケンスによって区分可能である。
【００４８】
ＰＵＣＣＨは次の制御情報を送信するのに使われることができる。
【００４９】
−ＳＲ（Ｓｃｈｅｄｕｌｉｎｇ  Ｒｅｑｕｅｓｔ）：ＵＬ−ＳＣＨ（Ｓｈａｒｅｄ  Ｃｈａｎｎｅｌ）リソースを要請するのに使われる情報である。ＯＯＫ（Ｏｎ−Ｏｆｆ  Ｋｅｙｉｎｇ）方式で送信される。
【００５０】
−ＨＡＲＱ−ＡＣＫ：ＤＬ信号（例えば、ＰＤＳＣＨ、ＳＰＳ解除ＰＤＣＣＨ）に対する受信応答信号である。一例として、一つのＤＬコードワードに対する応答としてＡＣＫ／ＮＡＣＫ１ビットが送信され、二つのＤＬコードワードに対する応答としてＡＣＫ／ＮＡＣＫ２ビットが送信される。
【００５１】
−ＣＳＩ（Ｃｈａｎｎｅｌ  Ｓｔａｔｕｓ  Ｉｎｆｏｒｍａｔｉｏｎ）：ＤＬチャネルについてのフィードバック情報である。ＣＳＩはＣＱＩ（Ｃｈａｎｎｅｌ  Ｑｕａｌｉｔｙ  Ｉｎｆｏｒｍａｔｉｏｎ）、ＲＩ（Ｒａｎｋ  Ｉｎｄｉｃａｔｏｒ）、ＰＭＩ（Ｐｒｅｃｏｄｉｎｇ  ｍａｔｒｉｘ  ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。ここで、ＣＳＩは周期的ＣＳＩ（ｐｅｒｉｏｄｉｃ  ＣＳＩ、ｐ−ＣＳＩ）を意味する。基地局の要請によって送信される非周期的ＣＳＩ（ａｐｅｒｉｏｄｉｃ  ＣＳＩ、ａ−ＣＳＩ）はＰＵＳＣＨを介して送信される。
【００５２】
表４はＬＴＥ（−Ａ）においてＰＵＣＣＨフォーマット（ＰＵＣＣＨ  ｆｏｒｍａｔ、ＰＦ）とＵＣＩの関係を示す。
【００５３】
【表４】
2017531364.tif 000006
【００５４】
図７はスロットレベルでＰＵＣＣＨフォーマット１ａ／１ｂの構造を示す。ＰＵＣＣＨフォーマット１ａ／１ｂでは同じ内容の制御情報がサブフレーム内でスロット単位で繰り返される。互いに異なる端末のＡＣＫ／ＮＡＫ信号はＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの相異なるＣＳ（Ｃｙｃｌｉｃ  Ｓｈｉｆｔ）（周波数ドメインコード）とＯＣＣ（Ｏｒｔｈｏｇｏｎａｌ  Ｃｏｖｅｒ  Ｃｏｄｅ）（時間ドメイン拡散コード）で構成された相異なるリソースを介して送信される。ＯＣＣはウォルッシュ（Ｗａｌｓｈ）／ＤＦＴ直交コードを含む。ＣＳの個数が６個であるとともにＯＣの個数が３個である場合、１８個の端末のＡＣＫ／ＮＡＣＫ信号が同じＰＲＢ（Ｐｈｙｓｉｃａｌ  Ｒｅｓｏｕｒｃｅ  Ｂｌｏｃｋ）内に多重化することができる。ＰＵＣＣＨフォーマット１ではＰＵＣＣＨフォーマット１ａ／１ｂの構造においてＡＣＫ／ＮＡＫがＳＲに取り替えられる。
【００５５】
図８はキャリア併合（Ｃａｒｒｉｅｒ  Ａｇｇｒｅｇａｔｉｏｎ、ＣＡ）通信システムを例示する。
【００５６】
図８を参照すると、複数の上／下りリンクコンポーネントキャリア（Ｃｏｍｐｏｎｅｎｔ  Ｃａｒｒｉｅｒ、ＣＣ）を集めてもっと広い上／下りリンク帯域幅を支援することができる。それぞれのＣＣは周波数領域で互いに隣接するか隣接しないことができる。各コンポーネントキャリアの帯域幅は独立的に決定されることができる。ＵＬＣＣの個数とＤＬ  ＣＣの個数が違う非対称キャリア併合も可能である。一方、制御情報は特定のＣＣを介して送受信になるように設定されることができる。このような特定のＣＣをプライマリーＣＣと呼び、残りのＣＣをセカンダリーＣＣと呼ぶことができる。一例として、クロス−キャリアスケジューリング（ｃｒｏｓｓ−ｃａｒｒｉｅｒ  ｓｃｈｅｄｕｌｉｎｇ）（又はクロス−ＣＣスケジューリング）が適用される場合、下りリンク割当てのためのＰＤＣＣＨはＤＬ  ＣＣ＃０に送信され、該当ＰＤＳＣＨはＤＬ  ＣＣ＃２に送信されることができる。用語“コンポーネントキャリア”は等価の他の用語（例えば、キャリア、セルなど）に取り替えることができる。
【００５７】
クロス−ＣＣスケジューリングのために、ＣＩＦ（ｃａｒｒｉｅｒ  ｉｎｄｉｃａｔｏｒ  ｆｉｅｌｄ）が使われる。ＰＤＣＣＨ内にＣＩＦの存在又は不在のための設定が半−静的に端末−特定（又は端末グループ−特定）に上位階層シグナリング（例えば、ＲＲＣシグナリング）によってイネーブル（ｅｎａｂｌｅ）されることができる。ＰＤＣＣＨ伝送の基本事項が下記のように整理されることができる。
【００５８】
・ＣＩＦディセーブルド（ｄｉｓａｂｌｅｄ）：ＤＬ  ＣＣ上のＰＤＣＣＨは同じＤＬ  ＣＣ上のＰＤＳＣＨリソース及び単一のリンクされたＵＬＣＣ上でのＰＵＳＣＨリソースを割り当てる。
【００５９】
・Ｎｏ  ＣＩＦ
・ＣＩＦイネーブルド（ｅｎａｂｌｅｄ）：ＤＬ  ＣＣ上のＰＤＣＣＨはＣＩＦを用いて複数の併合されたＤＬ／ＵＬＣＣの中で一つのＤＬ／ＵＬＣＣ上のＰＤＳＣＨ又はＰＵＳＣＨリソースを割り当てることができる。
【００６０】
・ＣＩＦを有するように拡張されたＬＴＥ  ＤＣＩフォーマット
−ＣＩＦ（設定される場合）は固定されたｘ−ビットフィールド（例えば、ｘ＝３）
−ＣＩＦ（設定される場合）位置はＤＣＩフォーマットサイズに関係なく固定される
ＣＩＦ存在の際、基地局は端末側でのＢＤ複雑度を低めるためにモニタリングＤＬ  ＣＣ（セット）を割り当てることができる。ＰＤＳＣＨ／ＰＵＳＣＨスケジューリングのために、端末は該当ＤＬ  ＣＣでのみＰＤＣＣＨの検出／デコーディングを遂行することができる。また、基地局はモニタリングＤＬ  ＣＣ（セット）を介してのみＰＤＣＣＨを送信することができる。モニタリングＤＬ  ＣＣセットは端末−特定、端末−グループ−特定又はセル−特定方式でセットされることができる。
【００６１】
図９は複数のキャリアが併合された場合のスケジューリングを例示する。３個のＤＬ  ＣＣが併合されたと仮定し、ＤＬ  ＣＣ  ＡがＰＤＣＣＨ  ＣＣに設定されたと仮定する。ＤＬ  ＣＣ  Ａ〜ＣはサービングＣＣ、サービングキャリア、サービングセルなどと呼ぶことができる。ＣＩＦがディセーブルされれば、それぞれのＤＬ  ＣＣはＬＴＥ  ＰＤＣＣＨ規則に従ってＣＩＦなしで自分のＰＤＳＣＨをスケジューリングするＰＤＣＣＨのみを送信することができる（ノン−クロス−ＣＣスケジューリング）。一方、端末−特定（又は端末−グループ−特定又はセル−特定）上位階層シグナリングによってＣＩＦがイネーブルされれば、特定のＣＣ（例えば、ＤＬ  ＣＣ  Ａ）はＣＩＦを用いてＤＬ  ＣＣ  ＡのＰＤＳＣＨをスケジューリングするＰＤＣＣＨだけでなく他のＣＣのＰＤＳＣＨをスケジューリングするＰＤＣＣＨも送信することができる（クロス−ＣＣスケジューリング）。一方、ＤＬ  ＣＣＢ／ＣではＰＤＣＣＨが送信されない。
【００６２】
（実施例：ＨＡＲＱ−ＡＣＫ  ｆｅｅｄｂａｃｋ  ｆｏｒ  ＦＤＤ−ｅＩＭＴＡ  ＴＤＤ  ＣＡ）
ＬＴＥ以後の次期システムではより柔軟な周波数リソースの運用／活用を目的とする端末にＦＤＤセルとＴＤＤセル間のＣＡ（すなわち、ＦＤＤ−ＴＤＤ  ＣＡ）を設定／支援する方式を考慮している。図１０はＦＤＤ  ＰＣｅｌｌとＴＤＤ  ＳＣｅｌｌが併合された場合を示す。図１０のようにＰＣｅｌｌがＦＤＤ方式で動作する場合、ＦＤＤ  ＰＣｅｌｌを介してのみＨＡＲＱ−ＡＣＫ  ＰＵＣＣＨ伝送が行われることを考慮し、ＦＤＤ  ＰＣｅｌｌだけでなくＴＤＤ  ＳＣｅｌｌにまで全てＦＤＤ  ＤＬ  ＨＡＲＱタイミングを適用することができる。ここで、ＤＬ  ＨＡＲＱタイミングはＨＡＲＱ−ＡＣＫフィードバックが必要な下りリンク信号（例えば、ＰＤＳＣＨ、ＳＰＳ（Ｓｅｍｉ−Ｐｅｒｓｉｓｔｅｎｔ  Ｓｃｈｅｄｕｌｉｎｇ）解除を指示するＰＤＣＣＨ）の受信時点（例えば、ＳＦ）とそれに対するＨＡＲＱ−ＡＣＫ情報の伝送時点（例えば、ＳＦ）の間の時間関係（例えば、ＳＦ間隔）を含む（すなわち、ＰＤＳＣＨ−ｔｏ−ＨＡＲＱ−ＡＣＫタイミング）。例えば、ＦＤＤ  ＤＬ  ＨＡＲＱタイミングはＳＦ＃ｎでのＰＤＳＣＨ受信に対するＨＡＲＱ−ＡＣＫフィードバックをＳＦ＃（ｎ＋４）で送信することを含む。
【００６３】
ＦＤＤ  ＰＣｅｌｌ−ＴＤＤ  ＳＣｅｌｌ  ＣＡ状況でＨＡＲＱ−ＡＣＫフィードバックのためにＰＵＣＣＨ  ｆｏｒｍａｔ  １ｂ  ｗｉｔｈ  ｃｈａｎｎｅｌ  ｓｅｌｅｃｔｉｏｎ（以下、ＣＨｓｅｌ）方式が設定された場合、ＰＣｅｌｌとＳＣｅｌｌの両者に対してＦＤＤ  ＤＬ  ＨＡＲＱタイミングが適用されるので、ＦＤＤセル間のＣＡ（すなわち、ＦＤＤ−ＦＤＤ  ＣＡ）で使われるＣＨｓｅｌマッピングがそのまま適用されることができる。ここで、ＣＨｓｅｌマッピングはＨＡＲＱ−ＡＣＫ状態をＰＵＣＣＨリソースにマッピング（すなわち、ＨＡＲＱ−ＡＣＫ  ｓｔａｔｅ−ｔｏ−ＰＵＣＣＨ  ｒｅｓｏｕｒｃｅ  ｍａｐｐｉｎｇ）することを含む。
【００６４】
表５はＦＤＤ−ＦＤＤ  ＣＡ  ＣＨｓｅｌのための伝送ブロック／サービングセル−ｔｏ−ＨＡＲＱ−ＡＣＫ（ｊ）マッピングを示す。既存ＦＤＤ−ＦＤＤ  ＣＡ  ＣＨｓｅｌは２個のセルのＣＡを支援し、各セルが支援する伝送ブロックの個数によって適用されるＣＨｓｅｌマッピングが変わる。
【００６５】
【表５】
2017531364.tif 000007
【００６６】
＊ＴＢ：Ｔｒａｎｓｐｏｒｔ  Ｂｌｏｃｋ．  ＮＡ：Ｎｏｔ−ａｖａｉｌａｂｌｅ．
表６〜表８はＡによるＣＨｓｅｌマッピングテーブルを示す。
【００６７】
【表６】
2017531364.tif 000008
【００６８】
【表７】
2017531364.tif 000009
【００６９】
【表８】
2017531364.tif 000010
【００７０】
ＦＤＤ−ＦＤＤ  ＣＡ  ＣＨｓｅｌが設定された場合、端末は表６〜表８によってＡ個のＰＵＣＣＨリソース（ｎ（１）ＰＵＣＣＨ、ｊ）から選択されたＰＵＣＣＨリソースｎ（１）ＰＵＣＣＨを用いてビット値ｂ（０）ｂ（１）を送信する（０≦ｊ≦Ａ−１）（Ａ⊂｛２、３、４｝）。端末はＨＡＲＱ−ＡＣＫ（ｊ）（０≦ｊ≦Ａ−１）に関連したＡ個のＰＵＣＣＨリソース（ｎ（１）ＰＵＣＣＨ、ｊ）を次のように決定する。
【００７１】
−ＰＤＳＣＨを指示するＰＤＣＣＨがＰＣｅｌｌで検出されるか、ＳＲＳ解除を指示するＰＤＣＣＨが検出された場合、ＰＵＣＣＨリソースｎ（１）ＰＵＣＣＨ、ｊはｎ（１）ＰＵＣＣＨ、ｊ＝ｎＣＣＥ＋Ｎ（１）ＰＵＣＣＨとして与えられる。ＰＣｅｌｌが２個の伝送ブロックまで支援する伝送モードに設定された場合、ＰＵＣＣＨリソースｎ（１）ＰＵＣＣＨ、ｊ＋１はｎ（１）ＰＵＣＣＨ、ｊ＋１＝ｎＣＣＥ＋１＋Ｎ（１）ＰＵＣＣＨとして与えられる。ｎＣＣＥはＰＤＣＣＨ伝送に使われるＣＣＥ（等）の最小ＣＣＥインデックスを示し、Ｎ（１）ＰＵＣＣＨは上位階層（例えば、Ｒａｄｉｏ  Ｒｅｓｏｕｒｃｅ  Ｃｏｎｔｒｏｌ、ＲＲＣ）によって設定される定数である。
【００７２】
−ＰＤＳＣＨが対応するＰＤＣＣＨなしでＰＣｅｌｌで検出された場合（すなわち、ＳＰＳ  ＰＤＳＣＨ）、ＰＵＣＣＨリソースｎ（１）ＰＵＣＣＨ、ｊは上位階層（例えば、ＲＲＣ）によって設定される。ＰＣｅｌｌが２個の伝送ブロックまで支援する伝送モードに設定された場合、ＰＵＣＣＨリソースｎ（１）ＰＵＣＣＨ、ｊ＋１はｎ（１）ＰＵＣＣＨ、ｊ＋１＝ｎ（１）ＰＵＣＣＨ、ｊ＋１＋１として与えられる。具体的に、基地局はＲＲＣメッセージを介して端末にＰＵＣＣＨリソース候補セットを知らせ、ＳＰＳ活性化ＰＤＣＣＨのＴＰＣフィールドを介してＰＵＣＣＨリソース候補セットの中で一つのＰＵＣＣＨリソースを指示する。
【００７３】
−ＰＤＳＣＨを指示するＰＤＣＣＨがＳＣｅｌｌで検出された場合、ＰＵＣＣＨリソースｎ（１）ＰＵＣＣＨ、ｊは上位階層（例えば、ＲＲＣ）によって設定される。ＳＣｅｌｌが２個の伝送ブロックまで支援する伝送モードに設定された場合、ＰＵＣＣＨリソースｎ（１）ＰＵＣＣＨ、ｊ＋１は上位階層（例えば、ＲＲＣ）によって設定される。具体的に、基地局はＲＲＣメッセージを介して端末にＰＵＣＣＨリソース候補セットを知らせ、ＰＤＣＣＨのＴＰＣフィールドを介してＰＵＣＣＨリソース候補セットの中で一つ又は一対のＰＵＣＣＨリソースを指示する。
【００７４】
一方、ＦＤＤ  ＰＣｅｌｌ−ＴＤＤ  ＳＣｅｌｌ  ＣＡが設定され、ＨＡＲＱ−ＡＣＫフィードバックのためにＣＨｓｅｌ方式が設定された状況で、ＴＤＤ  ＳＣｅｌｌがＵＬに設定されたＳＦの場合、ＨＡＲＱ−ＡＣＫフィードバックの観点で一時的にＦＤＤ  ＰＣｅｌｌのＤＬのみ存在する状況が発生する。このようなＳＦ（すなわち、ＴＤＤセルでＵであるＳＦ）に対しては例外的にＣＨｓｅｌ方式ではない（ｎｏｎ−ＣＡ）単一ＦＤＤセルに適用されるＨＡＲＱ−ＡＣＫ伝送方式（すなわち、ＰＵＣＣＨフォーマット１ａ／１ｂを使ったＨＡＲＱ−ＡＣＫ伝送方式）が適用されることができる（以下、ＰＦ１−フォールバック）。ＴＤＤ  ＳＣｅｌｌのＨＡＲＱ−ＡＣＫタイミングはＦＤＤセルに従うので、ＨＡＲＱ−ＡＣＫフィードバックの観点でＴＤＤ  ＳＣｅｌｌのＳＦはいずれもＤとして取り扱われることができる。したがって、ＨＡＲＱ−ＡＣＫフィードバックの観点のＴＤＤ  ＳＣｅｌｌ  ＳＦ構成を基準にＰＦ１−フォールバックを適用することができるが、実際に下りリンク信号を受信することができないＳＦでもＣＨｓｅｌを適用することになるため非効率的である。したがって、ＰＦ１−フォールバックはＨＡＲＱ−ＡＣＫフィードバックの観点のＳＦ構成ではない、ＴＤＤ  ＳＣｅｌｌの実際ＵＬ−ＤＬ構成（すなわち、ＳＩＢ−ｃｆｇ）を基準に適用される。ＴＤＤ  ＳＣｅｌｌの実際ＵＬ−ＤＬ構成はＳＩＢ（Ｓｙｓｔｅｍ  ｉｎｆｏｒｍａｔｉｏｎ  ｂｌｏｃｋ）又はＲＲＣメッセージを介して設定されたＵＬ−ＤＬ構成（以下、ＳＩＢ−ｃｆｇ）を基準に判断される。
【００７５】
既存のＰＵＣＣＨフォーマット１ａ／１ｂを使ったＨＡＲＱ−ＡＣＫ伝送方式で１ビット［ｂ（０）］及び２ビット［ｂ（０）ｂ（１）］ＡＣＫ／ＮＡＣＫ情報はそれぞれＢＰＳＫ（Ｂｉｎａｒｙ  Ｐｈａｓｅ  Ｓｈｉｆｔ  Ｋｅｙｉｎｇ）及びＱＰＳＫ（Ｑｕａｄｒａｔｕｒｅ  Ｐｈａｓｅ  Ｓｈｉｆｔ  Ｋｅｙｉｎｇ）変調方式で変調され、一つのＡＣＫ／ＮＡＣＫ変調シンボルが生成される（ｄ０）。ＡＣＫ／ＮＡＣＫ情報においてそれぞれのビット［ｂ（ｉ）、ｉ＝０、１］は該当ＤＬ伝送ブロックに対するＨＡＲＱ応答を示し、ポジティブＡＣＫの場合、該当ビットは１として与えられ、ネガティブＡＣＫ（ＮＡＣＫ）の場合、該当ビットは０として与えられる。表９は既存ＬＴＥにおてＰＵＣＣＨフォーマット１ａ及び１ｂのために定義された変調テーブルを示す。
【００７６】
【表９】
2017531364.tif 000011
【００７７】
ＰＦ１−フォールバックは、特にＣＨｓｅｌ方式に基づくＨＡＲＱ−ＡＣＫ  ＰＵＣＣＨ伝送にＴｘＤ（Ｔｒａｎｓｍｉｔ  Ｄｉｖｅｒｓｉｔｙ）が設定された場合に効率的であり得る。現在、単一セルＦＤＤでのＴｘＤに基づくＨＡＲＱ−ＡＣＫ伝送のための（追加）ＰＵＣＣＨリソースはＤＬグラントＰＤＣＣＨ伝送リソースから黙示的に割り当てられるが、ＣＨｓｅｌが設定されたＣＡでのＴｘＤに基づく伝送のための（追加）ＰＵＣＣＨリソースはＲＲＣシグナリングによって明示的に割り当てられる。具体的に、ＰＦ１−フォールバックの際、アンテナポート０のためのＰＵＣＣＨリソースｎ（１）（ｐ＝０）ＰＵＣＣＨはｎ（１）（ｐ＝０）ＰＵＣＣＨ＝ｎＣＣＥ＋Ｎ（１）ＰＵＣＣＨとして与えられ、アンテナポート１のためのＰＵＣＣＨリソースｎ（１）（ｐ＝１）ＰＵＣＣＨはｎ（１）（ｐ＝１）ＰＵＣＣＨ＝ｎＣＣＥ＋１＋Ｎ（１）ＰＵＣＣＨとして与えられる。一方、ＣＨｓｅｌ適用の際、アンテナポート０のためのＰＵＣＣＨリソースｎ（１）（ｐ＝０）ＰＵＣＣＨ、ｊは表５〜８を参照して説明した方式で与えられ、アンテナポート１のためのＰＵＣＣＨリソースｎ（１）（ｐ＝１）ＰＵＣＣＨ、ｊは上位階層（例えば、ＲＲＣ）によってさらに与えられる。よって、ＰＦ１−フォールバック適用時、全体セルの観点で効率的なＰＵＣＣＨリソース使用が可能である。
【００７８】
同じ状況でＴＤＤ  ＳＣｅｌｌがＵＬとして設定されたＳＦに対してＰＦ１−フォールバックを適用するさらに他の利点として、ＦＤＤ  ＣＨｓｅｌに基づくＨＡＲＱ−ＡＣＫと（ｐｏｓｉｔｉｖｅ）ＳＲの同時伝送方式を挙げることができる。具体的に、現在単一セルＦＤＤ状況でＨＡＲＱ−ＡＣＫと（ｐｏｓｉｔｉｖｅ）ＳＲ間の同時伝送の場合、ＳＲ用途に割り当てられたＰＵＣＣＨリソース（以下、ＳＲ  ＰＵＣＣＨリソース）上にＨＡＲＱ−ＡＣＫ状態を別個の追加信号処理過程なしでそのままマッピングして送信する。ｐｏｓｉｔｉｖｅ／ｎｅｇａｔｉｖｅ  ＳＲはＳＲ  ＰＵＣＣＨリソース上での信号伝送有無のみによって判断されるからである（すなわち、Ｏｎ−Ｏｆｆ  Ｋｅｙｉｎｇ、ＯＯＦ）。一方、ＣＨｓｅｌが設定されたＦＤＤ  ＣＡ状況でＨＡＲＱ−ＡＣＫと（ｐｏｓｉｔｉｖｅ）ＳＲ間の同時伝送の場合、セル別に空間バンドリング（ｓｐａｔｉａｌ  ｂｕｎｄｌｉｎｇ）を適用した後、２個のバンドリングされたＨＡＲＱ−ＡＣＫ状態をＳＲ  ＰＵＣＣＨリソース上にマッピング／送信する。ＳＲ  ＰＵＣＣＨはＰＵＣＣＨフォーマット１ａ／１ｂと構造が同一であるので、最大２−ビットまでに送信することができるからである。ここで、セル別空間バンドリングはセル内のＴＢ／ＣＷ別ＨＡＲＱ−ＡＣＫ応答の全てに対して論理ＡＮＤ演算を取って一つ（例えば、１−ビット）のバンドリングされたＨＡＲＱ−ＡＣＫ応答を生成する方法を含む。よって、ＰＦ１−フォールバックを適用するとき、端末の観点でより効果的なＤＬスループット性能の確保／保障が可能である。
【００７９】
図１１及び図１２はＦＤＤ  ＰＣｅｌｌ−ＴＤＤ  ＳＣｅｌｌ  ＣＡでのＨＡＲＱ−ＡＣＫフィードバック過程を例示する。図面は端末の立場で記載されたもので、基地局で対応動作が遂行されることができる。
【００８０】
図１１を参照すると、端末に対してＦＤＤ  ＰＣｅｌｌ−ＴＤＤ  ＳＣｅｌｌ  ＣＡが設定され（Ｓ１１０２）、ＨＡＲＱ−ＡＣＫフィードバックのためにＰＵＣＣＨ  ｆｏｒｍａｔ  １ｂ  ｗｉｔｈ  ｃｈａｎｎｅｌ  ｓｅｌｅｃｔｉｏｎが設定されることができる（Ｓ１１０４）。便宜上、ＴＤＤ  ＳＣｅｌｌのＳＩＢ−ｃｆｇはＵＤ−ｃｆｇ＃１であると仮定する（表１参照）。ＰＣｅｌｌがＦＤＤセルであるので、ＦＤＤ  ＰＣｅｌｌだけでなくＴＤＤ  ＳＣｅｌｌにまで全てＦＤＤ  ＤＬ  ＨＡＲＱタイミングが適用される。したがって、その後、端末はＨＡＲＱ−ＡＣＫフィードバックを要求する下りリンク信号（例えば、ＰＤＳＣＨ、ＳＰＳ解除を指示するＰＤＣＣＨ）をサブフレーム（ＳＦ）＃ｎ−ｋで受信した場合（Ｓ１１０６）、ＨＡＲＱ−ＡＣＫフィードバックをＳＦ＃ｎで送信する（Ｓ１１０８〜ｓ１１１０）。
【００８１】
ここで、ＳＦ＃ｎ−ｋでＴＤＤ  ＳＣｅｌｌがＤである場合、端末はＨＡＲＱ−ＡＣＫフィードバック伝送のためにＦＤＤ−ＦＤＤ  ＣＡ  ＣＨｓｅｌ方式を適用することができる（Ｓ１１０８、Ｓ１２０８）。一方、ＳＦ＃ｎ−ｋでＴＤＤ  ＳＣｅｌｌがＵである場合、端末はＨＡＲＱ−ＡＣＫフィードバック伝送のためにＰＦ１−フォールバック方式を適用することができる（Ｓ１１１０、Ｓ１２１０）。ＳＦ＃ｎ−ｋでＴＤＤ  ＳＣｅｌｌがＤ又はＵであるかはＳＩＢ−ｃｆｇを基準に判断される。ＨＡＲＱ−ＡＣＫフィードバックの観点でＳはＤとして取り扱われることができる。
【００８２】
よって、ＨＡＲＱ−ＡＣＫフィードバック情報生成方法、ＰＵＣＣＨリソース割当て方法、多重アンテナ伝送時の追加アンテナのためのＰＵＣＣＨリソース割当て方法、ＨＡＲＱ−ＡＣＫフィードバック及び（ｐｏｓｉｔｉｖｅ）ＳＲ同時伝送時のＨＡＲＱ−ＡＣＫフィードバック情報生成方法などが変わる。
【００８３】
一方、ＬＴＥ以後のシステムではＴＤＤ状況でｅＩＭＴＡ（ｅｎｈａｎｃｅｄ  ｉｎｔｅｒｆｅｒｅｎｃｅ  ｍｉｔｉｇａｔｉｏｎ  ａｎｄ  ｔｒａｆｆｉｃ  ａｄａｐｔａｔｉｏｎ）などを目的でＵＬ／ＤＬ  ＳＦ方向（ｄｉｒｅｃｔｉｏｎ）を再設定／変更しながら動作する方式が考慮されている。このために、ＴＤＤセル（あるいはＣＣ）の基本ＵＬ−ＤＬ構成（ＵＤ−ｃｆｇ）を上位階層シグナリング（例えば、ＳＩＢ）によって（半−）静的に設定した後、該当セル（あるいはＣＣ）の動作ＵＤ−ｃｆｇを下位階層シグナリング（例えば、Ｌ１（Ｌａｙｅｒ１）シグナリング（例えば、ＰＤＣＣＨ））によって動的に再設定／変更する方式が考慮されている。便宜上、基本ＵＤ−ｃｆｇをＳＩＢ−ｃｆｇと呼び、動作ＵＤ−ｃｆｇをａｃｔｕａｌ−ｃｆｇと呼ぶ。ＵＤ−ｃｆｇによるサブフレーム構成は表１に基づいて設定される。
【００８４】
これに関し、Ｄ→Ｕ（あるいはＳ）再設定は該当ＤでＣＲＳを用いた既存（レガシー）端末のＤＬ受信／測定などを考慮すると、容易でないかあるいは劣化を引き起こすことができる。一方、Ｕ（あるいはＳ）→Ｄ再設定の場合には、基地局が該当Ｕを介してレガシー端末から送信可能なＵＬ信号を意図的にスケジューリング／設定しないことによってｅＩＭＴＡ端末に更なるＤＬリソースを提供することができる。
【００８５】
これを勘案すると、ａｃｔｕａｌ−ｃｆｇはＳＩＢ−ｃｆｇ上のＤを全て含むＵＤ−ｃｆｇ（ＳＩＢ−ｃｆｇ含み）の中でのみ選択的に決定されることができる。すなわち、ＳＩＢ−ｃｆｇ上の全てのＤ位置にＤが配置されたＵＤ−ｃｆｇはａｃｔｕａｌ−ｃｆｇに決定されることができるが、ＳＩＢ−ｃｆｇ上のＤ位置にＵが配置されたＵＤ−ｃｆｇはａｃｔｕａｌ−ｃｆｇに決定されることができない。一方、ｅＩＭＴＡではＤＬスケジューリングに対するＨＡＲＱタイミング（例えば、ＨＡＲＱ−ＡＣＫフィードバック伝送タイミング）を設定するためにレファレンスＵＤ−ｃｆｇ（以下、Ｄ−ｒｅｆ−ｃｆｇ）が上位階層（シグナリング）によって別に設定されることができる。これを考慮すると、ａｃｔｕａｌ−ｃｆｇはＤ−ｒｅｆ−ｃｆｇ上のＵを全て含むＵＤ−ｃｆｇ（Ｄ−ｒｅｆ−ｃｆｇ含み）の中でのみ選択的に決定されることができる。よって、Ｄ−ｒｅｆ−ｃｆｇ上のＵ位置にＤが配置されたＵＤ−ｃｆｇはａｃｔｕａｌ−ｃｆｇに決定されることができない。
【００８６】
したがって、Ｄ−ｒｅｆ−ｃｆｇは可能なａｃｔｕａｌ−ｃｆｇ候補上のＤを全て含むＵＤ−ｃｆｇに設定され、ＳＩＢ−ｃｆｇは可能なａｃｔｕａｌ−ｃｆｇ候補上のＵを全て含むＵＤ−ｃｆｇに設定されることができる。すなわち、Ｄ−ｒｅｆ−ｃｆｇは可能なａｃｔｕａｌ−ｃｆｇ候補に対するＤスーパーセット（ｓｕｐｅｒｓｅｔ）ＵＤ−ｃｆｇに設定され、ＳＩＢ−ｃｆｇは可能なａｃｔｕａｌ−ｃｆｇ候補に対するＵスーパーセットＵＤ−ｃｆｇに設定されることができる。ＵＬスケジューリングに対するＨＡＲＱタイミング（例えば、ＵＧ／ＰＵＳＣＨ／ＰＨＩＣＨ伝送タイミング）のレファレンスＵＤ−ｃｆｇ（以下、Ｕ−ｒｅｆ−ｃｆｇ）はＳＩＢ−ｃｆｇに設定されることができる。これにより、Ｄ−ｒｅｆ−ｃｆｇ上のＵは固定された（ｆｉｘｅｄ）Ｕとして考慮され、ＳＩＢ−ｃｆｇ上のＤは固定されたＤとして考慮されることができる。したがって、Ｄ−ｒｅｆ−ｃｆｇでＤでありながらＳＩＢ−ｃｆｇでＵであるＳＦのみがＵ→Ｄに再設定／変更されることができるフレキシブル（ｆｌｅｘｉｂｌｅ）Ｕとして考慮されることができる。フレキシブルＵはａｃｔｕａｌ−ｃｆｇによってＵ→Ｄに再設定／変更されることができる。
【００８７】
結果的に、上位階層（シグナリング）によってＳＩＢ−ｃｆｇ／Ｄ−ｒｅｆ−ｃｆｇが設定された後、ＳＩＢ−ｃｆｇ上のＤを全て含み、Ｄ−ｒｅｆ−ｃｆｇ上のＵを全て含むＵＤ−ｃｆｇ（等）の一つがＬ１シグナリングによってａｃｔｕａｌ−ｃｆｇに設定されることができる。
【００８８】
表１０は［ＳＩＢ−ｃｆｇ＝ＵＤ−ｃｆｇ＃３、Ｄ−ｒｅｆ−ｃｆｇ＝ＵＤ−ｃｆｇ＃５］に設定された場合の可能なａｃｔｕａｌ−ｃｆｇ候補（ｂｏｌｄ  ｂｏｘ）を示す。
【００８９】
【表１０】
2017531364.tif 000012
【００９０】
表１１は［ＳＩＢ−ｃｆｇ＝ＵＤ−ｃｆｇ＃３、Ｄ−ｒｅｆ−ｃｆｇ＝ＵＤ−ｃｆｇ＃５］に設定された場合の固定されたＵ（ハッチング）及びフレキシブルＵ（ハッチング）を示す。ＳＦ＃３、＃４のみＵ→Ｄに再設定されることができる。図１３は表１０の条件でａｃｔｕａｌ−ｃｆｇ（ＵＤ−ｃｆｇ＃４）を用いてＳＦ＃４をＤに再設定した場合を例示する。
【００９１】
【表１１】
2017531364.tif 000013
【００９２】
表１２はＳＩＢ−ｃｆｇ別に可能な全てのフレキシブルＵ（ハッチング）を示す。実際フレキシブルＵはＤ−ｒｅｆ−ｃｆｇによってハッチング部分のサブセットとして与えられる。
【００９３】
【表１２】
2017531364.tif 000014
【００９４】
一方、ＦＤＤ  ＰＣｅｌｌ−ＴＤＤ  ＳＣｅｌｌ  ＣＡ状況でＴＤＤ  ＳＣｅｌｌがｅＩＭＴＡ方法に基づいて動作するように設定された状態でＨＡＲＱ−ＡＣＫフィードバックのためにＣＨｓｅｌ方式が設定されることができる。この場合、ＳＩＢ−ｃｆｇを基準にＴＤＤ  ＳＣｅｌｌがＵＬに設定されたＳＦに対してＰＦ１−フォールバック方式を適用することを考慮することができる。しかし、ｅＩＭＴＡの特性上、ＳＩＢ−ｃｆｇ上の特定のＵＬ  ＳＦ（例えば、フレキシブルＵ）がａｃｔｕａｌ−ｃｆｇ再設定に基づいて動的にＤＬ  ＳＦに変更されることができるため、ＣＡに対応するＨＡＲＱ−ＡＣＫフィードバック構成／伝送の側面で好ましくないこともある。したがって、ｅＩＭＴＡ動作に鑑み、ａｃｔｕａｌ−ｃｆｇを基準にＴＤＤ  ＳＣｅｌｌがＵに設定されたＳＦに対してＰＦ１−フォールバック方式を適用することを考慮することができる。しかし、ａｃｔｕａｌ−ｃｆｇを指示するＬ１信号（例えば、ＰＤＣＣＨ）の検出に失敗するか、該当信号のコンテンツが有効ではない場合、ＵＬ／ＤＬ  ＳＦ構成（これによる、ＳＦ−別ＣＨｓｅｌ又はＰＦ１−フォールバック適用）に対して端末と基地局間の不一致によって性能低下が引き起こされることができる。一例として、基地局は実際に送信したａｃｔｕａｌ−ｃｆｇを基準に動作し、端末はＳＩＢ−ｃｆｇをａｃｔｕａｌ−ｃｆｇと見なすか仮定した状態で動作することができる。
【００９５】
したがって、ＦＤＤ  ＰＣｅｌｌとｅＩＭＴＡ動作が設定されたＴＤＤ  ＳＣｅｌｌ間のＣＡ状況（すなわち、ＦＤＤ  ＰＣｅｌｌ−ｅＩＭＴＡ  ＴＤＤ  ＳＣｅｌｌ  ＣＡ）でＨＡＲＱ−ＡＣＫフィードバックのためにＣＨｓｅｌ方式が設定された場合、Ｄ−ｒｅｆ−ｃｆｇを基準にＴＤＤ  ＳＣｅｌｌがＵＬに設定されたＳＦに対してのみＰＦ１−フォールバック方式（残りのＳＦに対してはＣＨｓｅｌに基づく方式）を適用することを提案する。すなわち、固定されたＵがあるＳＦに対してのみＰＦ１−フォールバック方式を適用し、その外のＳＦに対してはＦＤＤ−ＦＤＤ  ＣＡ  ＣＨｓｅｌ方式を適用することができる。これにより、ａｃｔｕａｌ−ｃｆｇを基準にＵＬであるＳＦに対するＨＡＲＱ−ＡＣＫフィードバックの場合、該当ＳＦが固定されたＵであるかあるいはフレキシブルＵであるかによってＰＦ１−フォールバック方式とＣＨｓｅｌ方式が選択的に適用されることができる。Ｄ−ｒｅｆ−ｃｆｇを基準にＰＦ１−フォールバック方式を適用すれば、Ｄに再設定されなかったフレキシブルＵに対してもＣＨｓｅｌ方式を適用するので、ＤＬスループット性能の確保／保障、ＰＵＣＣＨリソース割当てなどで効率的でない部分があり得る。しかし、ａｃｔｕａｌ−ｃｆｇの動的再設定によって発生し得る端末と基地局間のＵＬ／ＤＬ  ＳＦ構成の不一致を解消することにより、結果的にはより効率的なＰＵＣＣＨリソースの使用及び安定的なＤＬ伝送性能を保障することができる。Ｄに再設定されなかったフレキシブルＵに対してもＣＨｓｅｌ方式を適用する場合、フレキシブルＵに対するＨＡＲＱ−ＡＣＫ応答はＮＡＣＫ／ＤＴＸとして取り扱われることができる。ＮＡＣＫ／ＤＴＸはＮＡＣＫ又はＤＴＸを示す。
【００９６】
図１４は本発明によるＦＤＤ  ＰＣｅｌｌ−ＴＤＤ  ＳＣｅｌｌ  ＣＡでのＨＡＲＱ−ＡＣＫフィードバック過程を例示する。図面は端末の立場で記載されたもので、基地局で対応動作が遂行されることができる。ＴＤＤ  ＳＣｅｌｌはｅＩＭＴＡ動作が遂行されるように設定されたと仮定する。
【００９７】
図１４を参照すると、端末に対してＦＤＤ  ＰＣｅｌｌ−ＴＤＤ  ＳＣｅｌｌ  ＣＡが設定され（Ｓ１４０２）、ＨＡＲＱ−ＡＣＫフィードバックのためにＰＵＣＣＨ  ｆｏｒｍａｔ  １ｂ  ｗｉｔｈ  ｃｈａｎｎｅｌ  ｓｅｌｅｃｔｉｏｎが設定されることができる（Ｓ１４０４）。また、ＴＤＤ  ＳＣｅｌｌに対してｅＩＭＴＡ動作が設定されることができる。これにより、端末は基地局からＣＡ構成情報（例えば、セル構成情報）、ＨＡＲＱ−ＡＣＫフィードバック設定情報（例えば、ＨＡＲＱ−ＡＣＫフィードバック方式、ＰＵＣＣＨリソース）、ｅＩＭＴＡ設定情報（例えば、ｅＩＭＴＡ  ＯＮ／ＯＦＦ、Ｄ−ｒｅｆ−ｃｆｇ指示情報）などを上位階層（例えば、ＲＲＣ）シグナリングによって受信することができる。便宜上、ＴＤＤ  ＳＣｅｌｌのＳＩＢ−ｃｆｇはＵＤ−ｃｆｇ＃１であると仮定する（表１参照）。ＰＣｅｌｌがＦＤＤセルであるので、ＦＤＤ  ＰＣｅｌｌだけでなくＴＤＤ  ＳＣｅｌｌにまで全てＦＤＤ  ＤＬ  ＨＡＲＱタイミングが適用される。したがって、その後、端末はＨＡＲＱ−ＡＣＫフィードバックを要求する下りリンク信号（例えば、ＰＤＳＣＨ、ＳＰＳ解除を指示するＰＤＣＣＨ）をサブフレーム（ＳＦ）＃ｎ−ｋで受信した場合（Ｓ１４０６）、ＨＡＲＱ−ＡＣＫフィードバックをＳＦ＃ｎで送信する（Ｓ１４０８〜ｓ１４１０）。
【００９８】
ここで、ＳＦ＃ｎ−ｋでＴＤＤ  ＳＣｅｌｌがＤである場合、端末はＨＡＲＱ−ＡＣＫフィードバック伝送のためにＦＤＤ−ＦＤＤ  ＣＡ  ＣＨｓｅｌ方式を適用することができる（Ｓ１４０８）。一方、ＳＦ＃ｎ−ｋでＴＤＤ  ＳＣｅｌｌがＵである場合、端末はＨＡＲＱ−ＡＣＫフィードバック伝送のためにＰＦ１−フォールバック方式を適用することができる（Ｓ１４１０）。本発明によると、ＳＦ＃ｎ−ｋでＴＤＤ  ＳＣｅｌｌがＤ又はＵであるかはＤ−ｒｅｆ−ｃｆｇを基準に判断される。すなわち、ＴＤＤ  ＳＣｅｌｌ上で固定されたＵがあるＳＦに対してのみＰＦ１−フォールバック方式が適用され、その外のＳＦに対してはＣＨｓｅｌ方式が適用される。ＨＡＲＱ−ＡＣＫフィードバックの観点でＳはＤとして取り扱われることができる。
【００９９】
これにより、ＨＡＲＱ−ＡＣＫフィードバック情報生成方法、ＰＵＣＣＨリソース割当て方法、多重アンテナ伝送時の追加アンテナのためのＰＵＣＣＨリソース割当て方法、ＨＡＲＱ−ＡＣＫフィードバック及び（ｐｏｓｉｔｉｖｅ）ＳＲ同時伝送時のＨＡＲＱ−ＡＣＫフィードバック情報生成方法などが変わる。
【０１００】
具体的に、ＰＵＣＣＨ  ＴｘＤ伝送が設定された場合、Ｄ−ｒｅｆ−ｃｆｇを基準にＴＤＤ  ＳＣｅｌｌがＵに設定されたＳＦに対してはＰＦ１−フォールバック方式が適用されるので、ＴｘＤ伝送のための更なるＰＵＣＣＨリソースはＤＬグラントＰＤＣＣＨ伝送リソース（例えば、一番目ＣＣＥインデックス（ｎＣＣＥ））から黙示的に割り当てられることができる（例えば、ｎＣＣＥ＋１にリンクされたＰＵＣＣＨリソースインデックス）。一方、残りのＳＦに対してはＣＨｓｅｌ方式が適用されるので、ＴｘＤ伝送のための更なるＰＵＣＣＨリソースはＲＲＣシグナリングによって明示的に割り当てられることができる。また、ＨＡＲＱ−ＡＣＫと（ｐｏｓｉｔｉｖｅ）ＳＲの同時伝送が要求される場合、Ｄ−ｒｅｆ−ｃｆｇを基準にＴＤＤ  ＳＣｅｌｌがＵに設定されたＳＦに対してはＰＦ１−フォールバック方式が適用されるので、ＳＲ  ＰＵＣＣＨリソース上にＨＡＲＱ−ＡＣＫ状態を（空間バンドリング適用なしで）そのままマッピング／伝送することができる。一方、残りのＳＦに対してはＣＨｓｅｌに基づく方式が適用されるので、各セル別に空間バンドリングを取って構成されたバンドリングされたＨＡＲＱ−ＡＣＫ状態をＳＲ  ＰＵＣＣＨリソース上にマッピング／送信することができる。
【０１０１】
一方、前記提案とは違い、ＦＤＤ  ＰＣｅｌｌ−ＴＤＤ  ＳＣｅｌｌ  ＣＡ及びＣＨｓｅｌ方式が設定された状況で、ＴＤＤ  ＳＣｅｌｌにｅＩＭＴＡ動作が設定されなかった場合にはＳＩＢ−ｃｆｇを基準にＴＤＤ  ＳＣｅｌｌがＵであるＳＦに対してＰＦ１−フォールバック方式を適用し（すなわち、残りのＳＦに対してはＣＨｓｅｌを適用）、ＴＤＤ  ＳＣｅｌｌにｅＩＭＴＡ動作が設定された場合には、全てのＳＦに対してＣＨｓｅｌに基づく方式を適用することも可能である。
【０１０２】
提案方法は、ＦＤＤセルとｅＩＭＴＡに基づくＴＤＤセル間のＣＡ状況だけではなく単一セルＦＤＤ状況でＵＬキャリア上の全部又は一部のＵＬ  ＳＦをＤＬ  ＳＦ（及び／又はｓｐｅｃｉａｌ  ＳＦ）に再設定する方式のｅＩＭＴＡ動作が設定された場合にも同様に適用されることができる。
【０１０３】
図１５は本発明に適用可能な基地局及び端末を例示する。
【０１０４】
図１５を参照すると、無線通信システムは、基地局（ＢＳ）１１０及び端末（ＵＥ）１２０を含む。無線通信システムがリレーを含む場合、基地局又は端末はリレーに取り替えることができる。
【０１０５】
基地局１１０は、プロセッサ１１２、メモリ１１４及び無線周波数（Ｒａｄｉｏ  Ｆｒｅｑｕｅｎｃｙ：ＲＦ）ユニット１１６を含む。プロセッサ１１２は本発明で提案した過程及び／又は方法を具現するように構成されることができる。メモリ１１４はプロセッサ１１２に連結され、プロセッサ１１２の動作に関連した多様な情報を記憶する。ＲＦユニット１１６はプロセッサ１１２に連結され、無線信号を送信及び／又は受信する。端末１２０は、プロセッサ１２２、メモリ１２４及び無線周波数ユニット１２６を含む。プロセッサ１２２は本発明で提案した過程及び／又は方法を具現するように構成されることができる。メモリ１２４はプロセッサ１２２に連結され、プロセッサ１２２の動作に関連した多様な情報を記憶する。ＲＦユニット１２６はプロセッサ１２２に連結され、無線信号を送信及び／又は受信する。
【０１０６】
前述した実施例は、本発明の構成要素と特徴が所定形態に結合されたものである。各構成要素又は特徴は、別途の明示的言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明する各動作の順序は変更可能である。いずれかの実施例の一部の構成や特徴は、他の実施例に含ませることができ、又は、他の実施例の対応する構成又は特徴に取り替えることができる。特許請求の範囲で明示的な引用関係のない請求項を組み合せて実施例を構成するか、出願後の補正によって新しい請求項として含ませ得ることは自明である。
【０１０７】
本文書で本発明の実施例は主に端末と基地局間の信号送受信関係を中心に説明された。このような送受信関係は端末とリレー間又は基地局とリレー間の信号送受信にも同一に又は類似して拡張される。本文書で基地局によって遂行されると説明した特定の動作は場合によってはその上位ノード（ｕｐｐｅｒ  ｎｏｄｅ）によって遂行されることができる。すなわち、基地局を含む複数のネットワークノード（ｎｅｔｗｏｒｋ  ｎｏｄｅｓ）からなるネットワークで端末との通信のために行われる多様な動作は基地局又は基地局以外の他のネットワークノードによって遂行されることができるのは自明である。基地局は固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語に取り替えることができる。また、端末はＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えることができる。
【０１０８】
本発明の実施例は、多様な手段、例えば、ハードウェア、ファームウェア（ｆｉｒｍｗａｒｅ）、ソフトウェア又はそれらの組合せなどによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１０９】
ファームウェアやソフトウェアによる具現の場合、本発明の一実施例は、前述した機能又は動作を行うモジュール、手続、関数などの形態に具現することができる。ソフトウェアコードは、メモリユニットに格納してプロセッサによって駆動することができる。
【０１１０】
前記メモリユニットは、前記プロセッサの内部又は外部に位置し、既に公知の多様な手段によって前記プロセッサとデータをやり取りすることができる。
【０１１１】
本発明は、本発明の特徴を逸脱しない範疇内で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０１１２】
本発明は無線移動通信システムの端末機、基地局、又はその他の装備に使うことができる。
【図１】
2017531364.tif 000015
【図２】
2017531364.tif 000016
【図３】
2017531364.tif 000017
【図４】
2017531364.tif 000018
【図５】
2017531364.tif 000019
【図６】
2017531364.tif 000020
【図７】
2017531364.tif 000021
【図８】
2017531364.tif 000022
【図９】
2017531364.tif 000023
【図１０】
2017531364.tif 000024
【図１１】
2017531364.tif 000025
【図１２】
2017531364.tif 000026
【図１３】
2017531364.tif 000027
【図１４】
2017531364.tif 000028
【図１５】
2017531364.tif 000029
【国際調査報告】
2017531364.tif 000030
2017531364.tif 000031
2017531364.tif 000032
2017531364.tif 000033